(57)【要約】【課題】  誰もが容易に上肢を固定しておくことが可能であるとともに、長時間着用していても上肢の固定が不充分になることを防止可能である上肢用固定具を提供すること。【解決手段】  前身頃１１と後身頃１２とによって、上肢用固定具１を形成する。そして、前身頃１１の上の左右横方向に連続する横長の前腕収容袋２０によって上肢用固定具１を形成し、前腕収容袋２０の上部２１と左側端部２３Ｌを開放し、前腕収容袋２０の下部２２と右側端部２３Ｒを塞ぎ、前腕収容袋２０の内側面２４上の左側端部２３Ｌの縁沿いに、手首固定枕２５を形成する。さらに、前腕収容袋２０の上部２１の開放部分を閉じるカバー２６Ｌ、２６Ｒを、前腕収容袋２０の上方に形成し、左の肩口１６Ｌに、前身頃１１と後身頃１２とを結ぶ上腕固定ベルト３０を形成する。【選択図】  図１
0003196780.tif 000002
【実用新案登録請求の範囲】
【請求項１】
着用者の胸から上の部分の少なくとも一部を覆う前身頃と、着用者の背中の少なくとも一部を覆う後身頃と、当該前身頃の上部と当該後身頃の上部とを接続する左右一対の肩掛け部と、当該前身頃の下部と当該後身頃の下部とを着用者の脇下において接続する左右一対の脇下部と、を有し、
前記前身頃の正面側表面であって、着用者の胸に対向する部分には、左右横方向に連続する横長の前腕収容袋が形成されており、当該前腕収容袋の上部と、当該前腕収容袋の左右横方向の一方の端部と、が、連続して開放しており、
前記前腕収容袋の左右横方向の開放している端部側において、前記前腕収容袋の上部の開放部分を閉じるカバーが、前記前腕収容袋の上方に形成されていることを特徴とする上肢用固定具。
【請求項２】
前記前腕収容袋の左右横方向の開放している端部側に位置する肩口の開口部分において、前記肩掛け部よりも下側であるとともに前記脇下部より上側である位置に、前記前身頃と前記後身頃とを連結する上腕固定ベルトが形成されていることを特徴とする請求項１に記載の上肢用固定具。
【請求項３】
前記前腕収容袋の左右横方向の開放している端部側の内側に、手首固定枕が形成されていることを特徴とする請求項１または請求項２に記載の上肢用固定具。
【考案の詳細な説明】
【技術分野】
【０００１】
本考案は、人が上肢を固定するに際して用いる上肢用固定具に関する。
【背景技術】
【０００２】
従来、人が上肢を固定する場合、三角巾を使って腕を首から吊るし、その上肢全体を固定することが一般的である（例えば、非特許文献１を参照）。また、場合によっては、三角巾で首から吊った腕をさらに上から弾性包帯やバストバンドで胴体に巻きつけて固定することもある（例えば、非特許文献２を参照）。
【先行技術文献】
【非特許文献】
【０００３】
【非特許文献１】介護動画のカイゴ大学（介護大学）、“三角巾の巻き方（０２）上肢の安静や保護  骨折対応  介護技術動画”、［ｏｎｌｉｎｅ］、［平成２７年１月５日検索］、インターネット＜ＵＲＬ：ｈｔｔｐｓ：／／ｗｗｗ．ｙｏｕｔｕｂｅ．ｃｏｍ／ｗａｔｃｈ？ｖ＝ＥＶｄＮＰｃＢ１ｕＱｗ＞
【非特許文献２】八王子スポーツ整形外科、“Ｑ＆Ａ  Ｑ：肩関節脱臼の手術について  手術のあとすぐに肩（腕）は使うことができるのですか。  Ａ：答の添付写真”、［ｏｎｌｉｎｅ］、［平成２７年１月５日検索］、インターネット＜ＵＲＬ：ｈｔｔｐ：／／ｓｐｏｒｔｓ−ｍｅｄｉｃａｌ．ｎｅｔ／ｕｓｅｒｆｉｌｅｓ／ｉｍａｇｅ／Ｑ＆Ａ％Ｅ５％９Ｂ％Ｂ３１．ｊｐｇ＞
【考案の概要】
【考案が解決しようとする課題】
【０００４】
上肢を固定する人が、その理由をきちんと理解している場合、三角巾等を用いて上肢を固定しておくことは、さほど困難なことではない。なぜならば、このような人は、自己の身体の動きを正しくコントロールできるからであり、例えば、相応の注意を払って、上肢の固定を妨げるような身体の動きを慎むことができ、また、上肢を固定している身体に害を及ぼし得る身体の動きを慎むことができる。
【０００５】
しかし、三角巾等を用いて上肢を固定する人が、その理由をきちんと理解できない人であったり、その理由をすぐに忘れてしまう人であったり、あるいは、自己の身体の動きをコントロールできない人である場合、以下に述べる問題を生じやすい。このような問題を生じやすい人として、例えば、子供や心身障害者を挙げることができる。
【０００６】
子供や心身障害者は、上肢を固定する場合であっても、活発に身体を動かそうとすることが多い。例えば、心身障害者は、けいれん発作を起こすことがある。このようなけいれん発作が起こると、本人の意思とは関係なく身体が激しく動いてしまう。
このため、子供や心身障害者が三角巾や弾性包帯等を用いて上肢を固定する場合、自分の身体の動きによって、三角巾や弾性包帯等がずれ動きやすく、上肢の固定が不充分なものになりやすい。
【０００７】
例えば、子供や心身障害者が、肩関節の脱臼を防止するために三角巾や弾性包帯等を用いて上肢を固定する場合がある。このような場合、しばらく時間が経過すると、上肢の固定が不充分になってしまうので、肩関節の脱臼を充分に防止できない。
本考案は、上記問題を解決するものであり、その目的とするところは、誰もが容易に上肢を固定しておくことが可能であり、長時間着用していても上肢の固定が不充分になることを容易に防止可能な上肢用固定具を提供することである。
【課題を解決するための手段】
【０００８】
本考案は、その課題を解決するために以下のような構成をとる。請求項１の考案に係る上肢用固定具は、着用者の胸から上の部分の少なくとも一部を覆う前身頃と、着用者の背中の少なくとも一部を覆う後身頃と、当該前身頃の上部と当該後身頃の上部とを接続する左右一対の肩掛け部と、当該前身頃の下部と当該後身頃の下部とを着用者の脇下において接続する左右一対の脇下部と、を有し、前記前身頃の正面側表面であって、着用者の胸に対向する部分には、左右横方向に連続する横長の前腕収容袋が形成されており、当該前腕収容袋の上部と、当該前腕収容袋の左右横方向の一方の端部と、が、連続して開放しており、前記前腕収容袋の左右横方向の開放している端部側において、前記前腕収容袋の上部の開放部分を閉じる閉鎖部が、前記前腕収容袋の上方に形成されていることを特徴とする。
【０００９】
上肢用固定具の着用者は、固定する上肢の肘をＬの字形に曲げ、このＬの字形に曲げた肘から前腕にかけての部分を前腕収容袋に入れる。このとき、肘を、前腕収容袋の左右横方向の閉じている端部側に入れ、手首を、前腕収容袋の左右横方向の開放している端部側から外に出す。そして、閉鎖部によって、前腕収容部の上部の開放部分を閉じる。
【００１０】
前腕収容袋に肘と前腕を入れ、前腕収容袋の上部を閉鎖部で閉じることによって、前腕収容袋の中の肘と前腕は、着用者の胸の上に固定され、固定された位置から動くことができない。そして、肘と前腕が固定されると、上腕が体幹沿いに密着して固定されることとなる。したがって、結果的に上肢全体が固定されて動くことができなくなる。
【００１１】
閉鎖部を開いて肘と前腕を前腕収容袋から外に出さない限り、上肢全体は固定されており、前腕と肘の固定が緩んで不充分になることが防止され、上肢全体の固定が緩んで不充分になることも防止される。
また、前腕収容袋に固定する上肢の肘から前腕にかけての部分を入れ、さらに閉鎖部によって、前腕収容袋の上方の開放部分を閉じれば足りるので、誰もが容易に上肢を固定することができる。
【００１２】
なお、閉鎖部によって前腕収容袋の上方の開放部分を閉じる方法は、特に、その方式を問わない。例えば、紐を用いて開放部分を閉じても良いし、バックルを用いて開放部分を閉じても良いし、面ファスナーを用いて開放部分を閉じても良い。また、紐、バックル、面ファスナーのうちの２つの方法または３つの方法を併用して開放部分を閉じても良い。
【００１３】
請求項２の考案に係る上肢用固定具は、請求項１に記載の上肢用固定具であって、前記前腕収容袋の左右横方向の開放している端部側に位置する肩口の開口部分において、前記肩掛け部よりも下側であるとともに前記脇下部より上側である位置に、前記前身頃と前記後身頃とを連結する上腕固定ベルトが形成されていることを特徴とする。
【００１４】
固定する上肢の上腕の上から、上腕固定ベルトを締める。上腕固定ベルトを上腕の上から締めることによって、その上腕を着用者の体幹に沿って隙間なく密着させて固定することができる。これによって、上肢全体を、よりしっかりと固定することができる。
【００１５】
請求項３の考案に係る上肢用固定具は、請求項１または請求項２に記載の上肢用固定具であって、前記前腕収容袋の左右横方向の開放している端部側の内側に、手首固定枕が形成されていることを特徴とする。
【００１６】
前腕収容袋の左右横方向の開放している端部側の内側に、手首固定枕を形成することで、前腕収容袋に入れた前腕の手首の周囲を手首固定枕によって、隙間なくしっかりと押さえて固定することができる。これにより、前腕収容袋の中における前腕の固定が緩んでしまうことを防止でき、上肢全体を、よりしっかりと固定することができる。
【考案の効果】
【００１７】
上記のような上肢用固定具であるので、誰もが容易に上肢を固定しておくことが可能であり、長時間着用していても上肢の固定が不充分になることを防止可能である。
【図面の簡単な説明】
【００１８】
【図１】上肢用固定具を正面側から見た説明図である。
【図２】前腕収容袋の内側の説明図である。
【図３】上肢用固定具を背面側から見た説明図である。
【図４】上肢用固定具を着用する着用者を正面側から見た説明図である。
【図５】上肢用固定具を着用する着用者を背面側から見た説明図である。
【考案を実施するための形態】
【００１９】
本考案に係る上肢用固定具１を図１〜図５を参照しつつ説明する。
なお、以下の説明において、「左」とは、上肢用固定具１を着用している人から見た左をいうものとし、「右」とは、上肢用固定具１を着用している者から見た右をいうものとする。より具体的に言えば、図１、２、４においては、図の左側が「右」であり、図の右側が「左」となる。また、図３、５においては、図の左側が「左」であり、図の右側が「右」となる。
【００２０】
図１、３に示すように、上肢用固定具１は、前身頃１１と後身頃１２とを有している。前身頃１１と後身頃１２は、ともに中綿が入ったキルティングによって形成されている。前身頃１１の左上部分と後身頃１２の左上部分とが、肩掛け部１４Ｌによって互いに接続されており、前身頃１１の右上部分と後身頃１２の右上部分とが、肩掛け部１４Ｒによって互いに接続されている。また、前身頃１１の左下部分と後身頃１２の左下部分とが、脇下部１５Ｌによって互いに接続されており、前身頃１１の右下部分と後身頃１２の右下部分とが、脇下部１５Ｒによって互いに接続されている。
【００２１】
肩掛け部１４Ｌと脇下部１５Ｌとの間に挟まれて形成されている開口部分が、肩口１６Ｌをなし、肩掛け部１４Ｒと脇下部１５Ｒとの間に挟まれて形成されている開口部分が、肩口１６Ｒをなしている。
前身頃１１の正面側表面には、左右横方向に連続する横長の前腕収容袋２０が形成されている。前腕収容袋２０も、中綿が入ったキルティングによって形成されている。前腕収容袋２０の左右横方向の長さは、およそ、上肢用固定具１の着用者５０の手首から肘先端までの距離に対応した長さである。
【００２２】
前腕収容袋２０の上部２１は、左右横方向に連続して開放しており、前腕収容袋２０の右側端部２３Ｒも開放している。そして、上部２１の開放部分と、右側端部２３Ｒの開放部分とは、互いに連続している。前腕収容袋２０の下部２２と左側端部２３Ｌは、ともに塞がっている。
【００２３】
図１、２に示すように、前腕収容袋２０の内側面２４上において右側端部２３Ｒの縁沿いには、手首固定枕２５が形成されている。手首固定枕２５の中には綿が詰められており、クッション性を有している。そして、手首固定枕２５は、面テープ（図示せず）によって着脱自在に前腕収容袋２０の内側面２４上に取り付けられている。
【００２４】
図１〜４に示すように、前身頃１１の正面側表面において、前腕収容袋２０の上方には、閉鎖部をなすカバー２６Ｌ、２６Ｒが形成されている。カバー２６Ｌ、２６Ｒは、中綿が入ったキルティングによって形成されている。カバー２６Ｒは、前腕収容袋２０の左右方向の右側部分のすぐ上方に位置し、カバー２６Ｌは、前腕収容袋２０の左右横方向のおよそ中央部のすぐ上方に位置している。
【００２５】
カバー２６Ｌ、２６Ｒは、それぞれバックル３５を有し、バックル３５を使ってカバー２６Ｌ、２６Ｒで前腕収容袋２０の上部２１の開放部分を閉じることを可能とする構成になっている。また、カバー２６Ｌ、２６Ｒの裏側と、前腕収容袋２０の正面側表面上には、対をなす面ファスナー３８が、それぞれ逢着されており、面ファスナー３８を使うことによっても、カバー２６Ｌ、２６Ｒで前腕収容袋２０の上部２１の開放部分を閉じることを可能とする構成になっている。
【００２６】
なお、図１〜３では、カバー２６Ｌ、２６Ｒは開いて、上部２１が開放した状態が示されている。図４では、カバー２６Ｌ、２６Ｒは閉じて、上部２１の開放部分が閉じた状態が示されている。
肩口１６Ｌにおいて、肩掛け部１４Ｌと脇下部１５Ｌとの中間にある高さ位置に、上腕固定ベルト３０が形成されている。上腕固定ベルト３０の一端は、前身頃１１に接続されており、上腕固定ベルト３０の他端は、後身頃１２に接続されている。上腕固定ベルト３０は、その中間にバックル３６を有し、バックル３６によって、上腕固定ベルト３０の中間部分の接続と切り離しを自在に行うことを可能とする構成になっている。
【００２７】
なお、図１、３〜５では、バックル３６が上腕固定ベルト３０の中間部分を接続している状態が示されている。
図３、５に示すように、後身頃１２は、左後身頃１２Ｌと右後身頃１２Ｒとを有している。左後身頃１２Ｌからは、連結部１３Ｌ１、１３Ｌ２が、右後身頃１２Ｒ側に向かって伸びている。また、右後身頃１２Ｒからは、連結部１３Ｒが左後身頃１２Ｌ側に向かって伸びている。
【００２８】
連結部１３Ｌ１と連結部１３Ｒとは、バックル３７を有する連結ベルト３３と面ファスナー３９とによって、接続と切り離しを自在に行うことを可能とする構成になっている。連結部１３Ｌ２と右後身頃１２Ｒとは、面ファスナー４０と紐４１によって、接続と切り離しを自在に行うことを可能とする構成になっている。
【００２９】
なお、図１、５では、連結部１３Ｌ１と連結部１３Ｒとが、連結ベルト３３と面ファスナー３９とによって接続されており、連結部１３Ｌ２と右後身頃１２Ｒとが、面ファスナー４０と紐４１によって接続されている状態が示されている。図３では、連結部１３Ｌ１と連結部１３Ｒとが切り離されており、連結部１３Ｌ２と右後身頃１２Ｒとが切り離されている状態が示されている。
【００３０】
以上が、上肢用固定具１の構成である。次に、上肢用固定具１の作用効果について説明する。
着用者５０は、上肢用固定具１を用いて自己の左上肢５１を固定することができる。
まず、着用者５０は、前身頃１１の裏面を自己の胸の上にあて、自己の左腕を肩口１６Ｌに通し、自己の右腕を肩口１６Ｒに通す。次いで、着用者５０の背中側において、補助者が、連結ベルト３３と面ファスナー３９を使って、連結部１３Ｌ１と連結部１３Ｒとを接続するとともに、面ファスナー４０と紐４１を使って、連結部１３Ｌ２と右後身頃１２Ｒとを接続する（図５を参照）。
【００３１】
この結果、前身頃１１が、着用者５０の胸から上の部分を覆い、後身頃１２が着用者の背中の上の部分を覆い、上肢用固定具１は、着用者５０の上半身に緩みなくしっかりと着用されることとなる。
次いで、着用者５０は、自己の左肘と左前腕を、前腕収容袋２０の中に上部２１の開放部分から入れる。このとき、着用者５０は、自己の左肘をＬの字形に曲げ、前腕収容袋２０の内側から左側端部２３Ｌに自己の左肘の突端を当て、手首固定枕２５の上に自己の左手首を置く。
【００３２】
次いで、着用者５０または補助者は、バックル３５と面ファスナー３８を使って、カバー２６Ｌ、２６Ｒで前腕収容袋２０の上部２１の開放部分を閉じる（図４を参照）。
さらに、着用者５０または補助者は、バックル３６を使って、着用者５０の左上腕の外側から上腕固定ベルト３０を締める（図４、５を参照）。
【００３３】
着用者５０の左肘と左前腕は、自己の胸の上で前腕収容袋２０の中に納まってしっかりと固定される。このとき、手首固定枕２５が、着用者５０の左手首を周囲から押さえており、前腕収容袋２０の中の左肘と左前腕は、ほとんど動くことができない。さらに、着用者５０の左上腕は、上腕固定ベルト３０によって、自己の体幹に沿って密着し、固定されてほとんど動くことができない状態になる。
【００３４】
したがって、着用者５０の左上腕、左肘、左前腕のそれぞれが上肢用固定具１によって簡単に固定されており、結果的に、着用者５０の左上肢５１全体が、上肢用固定具１によって簡単に固定されることとなる。意図的にカバー２６Ｌ、２６Ｒを開いたり、上腕固定ベルト３０を緩めたり外したりしないかぎり、左上肢５１の固定が解けることはなく、また、左上肢５１の固定が緩んで不充分になることもない。
【００３５】
本実施の形態においては、上肢用固定具１によって、着用者５０の左上肢５１が固定されるとした。上肢用固定具１によって、着用者５０の右上肢を固定する場合は、本実施の形態の上肢用固定具１の形状を左右反転したものにすれば良い。あるいは、少なくとも、前腕収容袋２０の上部２１と左側端部２３Ｌを連続して開放するとともに、前腕収容袋２０の下部２２と右側端部２３Ｒを塞ぎ、肩口１６Ｒに上腕固定ベルト３０を形成すればよい。
【産業上の利用可能性】
【００３６】
上記のような上肢用固定具であるので、上肢を固定しなければならない医療等の分野において有用である。
【符号の説明】
【００３７】
１    上肢用固定具
１１    前身頃
１２    後身頃
１２Ｌ    左後身頃
１２Ｒ    右後身頃
１３Ｌ１、１３Ｌ２、１３Ｒ    連結部
１４Ｌ、１４Ｒ    肩掛け部
１５Ｌ、１５Ｒ    脇下部
１６Ｌ、１６Ｒ    肩口
２０    前腕収容袋
２１    前腕収容袋の上部
２２    前腕収容袋の下部
２３Ｌ    前腕収容袋の左側端部
２３Ｒ    前腕収容袋の右側端部
２４    前腕収容袋の内側面
２５    手首固定枕
２６Ｌ、２６Ｒ    カバー
３０    上腕固定ベルト
３３    連結ベルト
３５、３６、３７    バックル
３８、３９、４０    面ファスナー
４１    紐
５０    着用者
５１    着用者の左上肢
【図１】
0003196780.tif 000003
【図２】
0003196780.tif 000004
【図３】
0003196780.tif 000005
【図４】
0003196780.tif 000006
【図５】
0003196780.tif 000007